(57)【要約】【課題】  使用記憶容量を最小限に抑えながら、操作者が会話（講演）の重要部分と判断するところを確実に収録できる録音装置を提供する。【解決手段】  ディジタル信号として入力された収録対象の音声信号を、録音状態であるか否かに拘わらず、常時バッファメモリ１１に転送してバッファメモリ１１の蓄積可能時間Ｄmaxの分だけは過去のデータを残しておき、録音開始指示派出手段１２から録音開始指示が発出されたときに、所定の指定時間分だけ過去のデータから順次記録装置１７に転送する【選択図】  図１
2005114898.tif 000002
【特許請求の範囲】
【請求項１】
ディジタル化された音声信号を記録装置に記録する録音装置において、
音声信号を入力する音声信号入力手段と、
音声信号入力手段で得られた音声信号を一時的に記憶するバッファメモリと、
録音開始指示を発出する録音開始指示発出手段と、
録音停止指示を発出する録音停止指示発出手段と、
録音開始指示時点に対する音声信号の記録を開始する録音開始時点の遡及時間を指定する遡及時間指定手段と、
遡及時間指定手段で指定された遡及時間に基づきバッファメモリ内における音声信号の読み出し開始位置を算出する読み出し位置算出手段と、
録音開始指示発出手段から録音開始指示が発出されると読み出し位置算出手段で算出された読み出し開始位置からバッファメモリ内の音声信号を順次読み出して記録装置への音声信号の記録を開始し、録音停止指示発出手段から録音停止指示が発出されると音声信号の記録を停止する録音制御手段とを備えた
ことを特徴とする録音装置。
【請求項２】
少なくとも前記音声信号発出手段と、バッファメモリと、録音制御手段とをそれぞれ複数チャンネル分備え、
各録音制御手段は、一の録音開始指示発出手段及び録音停止指示発出手段による録音開始指示又は録音停止指示に応じて自チャンネルの音声信号入力手段の音声信号を一の記録装置に記録する
ことを特徴とする請求項１記載の録音装置。
【請求項３】
録音対象チャンネルを選択するチャンネル選択手段を備え、
各録音制御手段は、チャンネル選択手段により自チャンネルが選択されている場合にのみ自チャンネルの音声信号を記録装置に記録する
ことを特徴とする請求項２記載の録音装置。
【請求項４】
各録音制御手段は、一の録音開始指示発出手段による録音開始指示に応じて録音装置が録音状態である場合にチャンネル選択手段により自チャンネルが選択されると自チャンネルの音声信号の記録を開始するとともに、自身が録音状態である場合にチャンネル選択手段により自チャンネルが非選択にされると録音を停止する
ことを特徴とする請求項３記載の録音装置。
【請求項５】
前記録音開始指示発出手段と、録音停止指示発出手段と、録音制御手段と、記録装置とをそれぞれ複数系統分備え、
各録音制御手段は、自系統の録音開始指示発出手段及び録音停止指示発出手段による録音開始指示又は録音停止指示に応じて一のバッファメモリの音声信号を自系統の記録装置に記録する
ことを特徴とする請求項１記載の録音装置。
【請求項６】
前記録音開始指示発出手段と、録音停止指示発出手段と、記録装置と、録音対象チャンネルを選択するチャンネル選択手段とをそれぞれ複数系統分備え、
前記音声信号入力手段と、バッファメモリとをそれぞれ複数チャンネル分備えるとともに、
前記録音制御手段を各チャンネル且つ各系統毎に複数設け、
各録音制御手段は、自系統のチャンネル選択手段により自チャンネルが選択されている場合にのみ自系統の録音開始指示発出手段及び録音停止指示発出手段による録音開始指示又は録音停止指示に応じて自チャンネルの音声信号を自系統の記録装置に記録する
ことを特徴とする請求項１記載の録音装置。
【発明の詳細な説明】
【技術分野】
【０００１】
本発明は、例えば対話・会議・講演などにおいて音声信号をディジタル化して記録装置に記録する録音装置に関する。
【背景技術】
【０００２】
対話・会議・講演聴講などにおいて全過程の一部分だけを録音装置に録音したいことがあるが、録音したい部分がいつ登場するのか事前に分からない場合、従来は以下の３つの方法を用いて録音を行っていた。
【０００３】
第１の方法は、全過程を録音しておく方法である。第２の方法は、音声検出機能を利用して、誰かが話している間だけ音声を収録する方法である。第３の方法は、録音装置操作者が、会話（講演）内容を注意深く聞きながら、重要と思われるところだけ録音スイッチを入れて収録する方法である。
【特許文献１】特開平１０−４９９８９号公報
【特許文献２】特開平８−２２１９９７号公報
【特許文献３】特開２００２−１６４９９８号公報
【発明の開示】
【発明が解決しようとする課題】
【０００４】
しかし、前記第１の方法は最も確実な録音手段であるが、後で収録結果から必要な箇所を探すのに時間が掛かるとともに、音声信号収録器の記憶容量を多く使用するという問題があった。
【０００５】
また、第２の方法は、第１の方法ほどの記憶容量は必要としないものの、後で収録結果から必要な箇所を探すのに時間が掛かる問題に関しては、余り改善されないという問題があった。
【０００６】
さらに、第３の方法は、使用記憶容量は減らすことができるものの、録音開始タイミングを逸する可能性が高く、重要な会話（講演）内容の冒頭部分を収録できないケースが多発する。すなわち、冒頭部分ではそれほど重要性を感じなかったものの、話が少し先に進んでから、実は冒頭部分も重要だったと気付くことは珍しくない。このようなケースでは録音開始タイミングを逸してしまう。また、録音開始タイミングを逸する危険を考慮すると、録音停止タイミングの選び方にも慎重になり、結果的に、重要性の低い会話（講演）内容までもずるずると収録してしまい、無駄な録音が発生する可能性も高い。
【０００７】
このように、従来の録音装置では、収録に使用する記憶容量を小さく押さえながら、必要な会話（講演）部分を確実に収録する手段がなかった。
【０００８】
本発明は、上記事情に鑑みてなされたものであり、その目的とするところは、使用記憶容量を最小限に抑えながら、操作者が会話（講演）の重要部分と判断するところを確実に収録できる録音装置を提供することにある。
【課題を解決するための手段】
【０００９】
上記目的を達成するために、本発明は、ディジタル信号として入力された収録対象の音声信号を、録音状態であるか否かに拘わらず、常時ＦＩＦＯ型のバッファメモリに転送してバッファメモリの蓄積可能時間の分だけは過去のデータを残しておき、録音開始指示が発出されたときに、所定の指定時間分だけ過去のデータから順次記録装置に転送することで、録音開始タイミングが遅れても、必要な音声データの冒頭部分の収録失敗を防止することを最も主要な特徴とする。本発明は、バッファメモリを利用することで、最大でバッファメモリの蓄積可能時間分だけ過去に遡って録音開始が可能となっている点が従来の技術とは異なる。
【００１０】
前述したように、記録装置の使用記憶容量を少なくするには、録音装置操作者が会話（講演）内容を注意深く聞きながら、録音開始・停止を手動で操作するのが効果的である。しかし、この方法では、録音開始タイミングを逸する可能性がある。
【００１１】
一方、本発明では、このような手動による録音開始とバッファメモリによる過去データの一時保存を組み合わせることで、収録失敗しがちな冒頭部分の収録を可能にする。
【００１２】
具体的には、ディジタル化された入力信号を常時バッファメモリに蓄積しておき、録音開始指示が発出された時点から、バッファメモリに残っている指定時間分だけ過去のデータから順次記録装置に転送する。これにより、最大でバッファメモリの蓄積可能時間長だけ過去に遡って収録することが可能となる。バッファメモリの大きさと過去に遡る時間長を十分に大きくとっておけば、冒頭部分も確実に収録することが可能になる。
【００１３】
また、本発明によれば、会話（講演）の重要部分を確実に収録できるという安心感が得られるため、従来の手動録音のように、心配でなかなか録音停止ができず、ずるずると不必要な部分まで収録してしまうことがなく、記録装置の使用記憶容量削減という観点からも有利である。
【発明の効果】
【００１４】
以上説明したように本発明によれば、録音開始指示時点から過去に遡って音声信号を記録できるので、録音装置の操作者が会話（講演）の重要部分と判断するところを確実に収録できる。また、録音開始指示及び録音停止指示にしたがって必要な部分のみ録音できるので、記録装置の使用記憶容量を最小限に抑えることができる。
【発明を実施するための最良の形態】
【００１５】
（第１の実施の形態）
本発明の第１の実施の形態に係る録音装置について図１を参照して説明する。図１は第１の実施形態に係る録音装置の構成図である。
【００１６】
この録音装置は、図１に示すように、ディジタル音声信号を入力するディジタル音声信号入力手段１０と、ディジタル音声信号入力手段１０で入力されたディジタル音声信号を一時的に記憶するバッファメモリ１１と、録音開始指示を発出する録音開始指示発出手段１２と、録音停止指示を発出する録音停止指示発出手段１３と、録音開始指示が発出された時点からみてどの程度過去に遡って音声信号を記録するかを示す値である遡及時間Ｄを指定する遡及時間指定手段１４と、音声信号の記録の際にバッファメモリ１１における読み出し開始位置（アドレス）を算出する読み出し位置算出器１５と、バッファメモリ１１から音声信号を読み出して後述の音声信号収録器に転送・記録する音声信号収録制御器１６と、音声信号の記憶装置である音声信号収録器１７とを備えている。
【００１７】
ディジタル音声信号入力手段１０は、マイクなど音声をアナログ音声信号に変換する収音装置と、該アナログ音声信号をディジタル変換するＡＤ変換装置等を備えている。
【００１８】
バッファメモリ１１は、ディジタル音声信号を時間Ｄmaxだけ保存しておくことが可能なＦＩＦＯ（First-In First-Out）型のバッファメモリである。図１の例では、最上段に最新の音声信号データが格納され、最下段に時間Ｄmaxだけ過去の音声信号データが格納されている事を示している。バッファメモリ１１の内容は、時間の経過とともに上段から下段に向かって順次シフトする。時間Ｄmax以上経過した音声信号データはバッファメモリ１１から消失する。
【００１９】
録音開始指示発出手段１２は、音声信号収録制御器１６に対して録音開始を指示する装置である。この録音開始指示発出手段１２は、例えばスイッチなどの入力装置を備えており、操作者により入力装置の操作がなされると録音開始指示が発出される。
【００２０】
録音停止指示発出手段１３は、音声信号収録制御器１６に対して録音停止を指示する装置である。この録音停止指示発出手段１３における録音停止指示の発出方法としては、操作者の入力操作により発出するもの、所定の条件に基づき自動的に指示を発出するもの、操作者の入力操作及び所定の条件に基づき半自動的に指示を発出するものが考えられるが、本発明ではどれを採用してもよい。
【００２１】
手動により録音停止指示を発出するものでは、前記録音開始指示発出手段１２と同様に、例えばスイッチなどの入力装置を備え、操作者により入力装置の操作がなされると録音停止指示を発出する。
【００２２】
また、自動により録音停止指示を発出する方法としては、例えば以下の２つの方法が考えられる。第１の方法では、録音開始後、予め設定された時間が経過したならば録音停止指示を発出する。第２の方法では、録音開始後、予め設定された時間が経過した後に、入力音声信号の信号レベルが所定の閾値以下で一定時間以上継続したならば録音停止指示を発出する。そこで、録音停止指示発出手段１３には、これらの方法を実現するようタイマや音声信号レベル検出手段等を設ければよい。
【００２３】
さらに、半自動により録音停止指示を発出する方法としては、例えば、手動による録音停止指示が発出された後に、入力音声信号の信号レベルが所定の閾値以下で一定時間以上継続したならば録音停止指示を発出するものが考えられる。すなわち、上記手動によるもの及び自動によるものの組み合わせである。
【００２４】
遡及時間指定手段１４は、音声信号データがバッファメモリ１１に入力されてから音声信号収録制御器１６により抽出されるまでの経過時間（これを遡及時間という）Ｄを指定する。遡及時間Ｄはバッファメモリ１１の最大記録時間Ｄmax以下でなければならない。
【００２５】
読み出し位置算出器１５は、録音装置が使用する符号化方法などの情報を基に、遡及時間指定手段１４で指定された遡及時間Ｄをバッファメモリ１１における読み出しポインタの位置情報に変換する。
【００２６】
音声信号収録制御器１６は、録音開始指示発出手段１２から録音開始指示が発出されると、読み出し位置算出器１５で算出された位置情報に基づきバッファメモリ１１から音声信号データを読み出し、音声信号収録器１７に転送・蓄積する。また、音声信号収録制御器１６は、録音停止指示発出手段１３から録音停止指示が発出されると、音声信号収録器１７への音声信号記録を停止する。
【００２７】
音声信号収録器１７は、ディジタル音声信号データを蓄積保存する記憶装置である。音声信号収録器１７における音声信号データの蓄積管理方法としては、以下に示すようなものが挙げられる。
【００２８】
・常に、録音開始から録音終了までを１単位として蓄積する
・録音開始から録音終了までを１単位として蓄積するのを原則とするが、録音停止から次の録音開始までの時間が、前記遡及時間Ｄ以下であった場合に限り、録音時間の重なりが生じないように後続の録音単位の先頭部分を除いた上で、前の録音単位を延長する形で追加して、１単位として蓄積する
・録音装置の起動後は、特に指示がない限り、複数の録音開始−録音停止ブロックを繋げて１単位として蓄積する。
【００２９】
このような録音装置では、操作者が録音開始指示発出手段１２の入力装置を操作することにより録音開始を指示すると、該指示時点から遡及時間Ｄ前からの音声信号データが音声信号収録器１７に収録される。
【００３０】
（第２の実施の形態）
本発明の第２の実施の形態に係る録音装置について図２を参照して説明する。図２は第２の実施形態に係る録音装置の構成図である。本実施の形態に係る録音装置が第１の実施の形態と異なる点は、多チャンネルの音声信号を同時並列的に記録可能となっているところにある。以下、相違点について説明する。
【００３１】
この録音装置は、図２に示すように、複数チャンネル（図２の例ではチャンネルＣＨ１〜ＣＨｎ）分のバッファメモリ１１・遡及時間指定手段１４・読み出し位置算出器１５・音声信号収録制御器１６を複数チャンネル（図２の例ではチャンネルＣＨ１〜ＣＨｎ）分だけ備えている。すなわち、各チャンネルに対応するブロック（図２の点線で囲まれた部分）は、第１の実施の形態における録音開始指示発出手段１２・録音停止指示発出手段１３・音声信号収録器１７の３つを除いたものと同じ構成である。なお、図中、複数のバッファメモリ１１等をチャンネル毎に識別するため、符号の末尾に「−チャンネル番号」を付した。
【００３２】
各チャンネルに与える録音開始指示と録音停止指示は、全チャンネルに共通の録音開始指示発出手段１２及び録音停止指示発出手段１３がそれぞれ１つ用意され、各チャンネルに同じ指示を同時に与えている。各チャンネルの音声信号収録器１７から出力される音声信号データは、ひとつの音声信号収録器１７にまとめられて同時並列的に収録される。
【００３３】
ここで、音声信号収録器１７における音声信号データの蓄積管理方法としては、以下に示すようなものが挙げられる。
【００３４】
・各チャンネルの蓄積データをチャンネル単位で蓄積する
・各チャンネルの蓄積データをひとつにまとめて１単位として蓄積する
などが挙げられる。
【００３５】
このような録音装置によれば多チャンネルの音声信号を音声信号収録器１７に記録できる。他の作用効果は第１の実施の形態と同様である。
【００３６】
本実施の形態の具体的な適用例としては、複数マイクを用いた会議の録音や、電話やＴＶ会議などの音声通話の会話内容を録音するケースなどが挙げられる。
【００３７】
（第３の実施の形態）
本発明の第３の実施の形態に係る録音装置について図３を参照して説明する。図３は第３の実施形態に係る録音装置の構成図である。本実施の形態に係る録音装置が第２の実施の形態と異なる点は、多チャンネルの音声信号を選択的に記録可能となっている点にある。以下、相違点について説明する。
【００３８】
この録音装置は、図３に示すように、第２の実施形態に係る録音装置に対して更に、操作者が録音対象となるチャンネルを選択する録音対象チャンネル選択手段１８を備えている。この録音対象チャンネル選択手段１８は、各チャンネルの音声信号収録制御器１６に対して共通の制御信号を出力する。録音対象チャンネル選択手段１８によるチャンネル選択は、録音開始指示発出前、すなわち録音停止状態でのみ可能である。
【００３９】
各チャンネルの音声信号収録制御器１６は、録音開始指示発出前、すなわち録音停止状態でのみ録音対象チャンネル選択手段１８によるチャンネル選択が可能となっている。また、音声信号収録制御器１６は、録音対象チャンネル選択手段１８により録音対象として指定されている場合には、録音開始指示発出手段１２の録音開始指示及び録音停止指示発出手段１３の録音停止指示に従い動作する。一方、録音対象として指定されていない場合には、録音開始指示発出手段１２の録音開始指示及び録音停止指示発出手段１３には従わず、常に録音停止状態となる。そして、録音停止指示が発出されてから、再び録音開始指示が発出されるまでの間、録音対象チャンネルの再選択が可能となる。
【００４０】
このような録音装置によれば、録音開始−録音停止の１単位毎に、録音対象チャンネルの組み合わせ方を任意に変更することが可能となる。他の作用効果は第２の実施形態と同様である。
【００４１】
なお、本実施形態では、遡及時間Ｄをチャンネル毎に設定可能となっているが、ひとつの遡及時間指定手段１４で全てのチャンネルの遡及時間を同一値で同時に指定する方法も考えられる。
【００４２】
本実施形態の具体的な適用例としては、予め複数のマイクをセットした会議室（ＴＶ会議などの遠隔通信会議も含む）で会議を行う際、会議開催のたびに、発言権のある者の席の音声だけを録音対象とするように予め設定することが挙げられる。これにより、発言権のない者のひそひそ話や不要な周囲騒音の混入を最小化することができる。
【００４３】
（第４の実施の形態）
本発明の第４の実施の形態に係る録音装置について説明する。本実施の形態に係る録音装置の構成は、図３を参照して前述した第３の実施形態に係る録音装置と同じであるので、ここでは図示は省略する。本実施の形態に係る録音装置が第３の実施の形態と異なる点は、いつでも選択チャンネルの変更（追加・削除）を可能としている点にある。以下、相違点について説明する。
【００４４】
各チャンネルの音声信号収録制御器１６は、録音開始指示が発出された後であってまだ録音停止指示が発出されていない状態（すなわち録音装置が録音状態）で、録音対象チャンネル選択手段１８により録音対象チャンネルに追加登録されると、当該チャンネルに録音開始指示がでた場合の動作を行う。また、録音開始指示が発出された後であってまだ録音停止指示が発出されていない状態（すなわち録音装置が録音状態）で、録音対象チャンネル選択手段１８により録音対象チャンネルから登録削除されると、当該チャンネルに録音停止指示がでた場合の動作を行う。
【００４５】
また、音声信号収録制御器１６は、録音開始指示が発出されていない状態（すなわち録音装置が録音停止状態）では、録音対象チャンネルごとに追加登録・登録削除されても、その時点での録音開始や録音停止といった動作は行われず動作に変化はない。
【００４６】
また、音声信号収録制御器１６は、録音対象チャンネルに登録された状態で録音開始指示が発出されると、当該チャンネルに録音開始指示がでた場合の動作を行う。一方、録音対象チャンネルに登録されていない状態では、録音開始指示が発出されても、当該チャンネルは録音停止状態のままで変化しない。
【００４７】
また、音声信号収録制御器１６は、録音対象チャンネルに登録された状態で録音停止指示が発出されると、当該チャンネルに録音停止指示がでた場合の動作を行う。録音対象チャンネルに登録されていない状態では、録音停止指示が発出されても当該チャンネルは録音停止状態のままで変化しない。
【００４８】
このような録音装置によれば、録音中に録音対象となるチャンネルをいつでも任意に変更できるので利便性が向上する。その他の作用効果については第２の実施の形態と同様である。
【００４９】
なお、本実施形態では、遡及時間Ｄをチャンネル毎に設定可能となっているが、ひとつの遡及時間指定手段１４で全てのチャンネルの遡及時間を同一値で同時に指定する方法も考えられる。
【００５０】
本実施形態の具体的な適用例としては、予め複数のマイクをセットした会議室（ＴＶ会議などの遠隔通信会議も含む）で会議を行う際、議事録作成者などが、収録の必要がある話者の音声だけを選択して録音することが挙げられる。これにより、後で聞き返すときに聞きやすいように不要音声の混入を防止することができる。
【００５１】
（第５の実施の形態）
本発明の第５の実施の形態に係る録音装置について図４を参照して説明する。図４は第５の実施形態に係る録音装置の構成図である。
【００５２】
本実施の形態に係る録音装置が第１の実施の形態と異なる点は、図４に示すように、録音開始指示発出手段１２・録音停止指示発出手段１３・音声信号収録制御器１６・音声信号収録器１７をそれぞれ複数備えることにより、複数の操作者に対応しているところにある。なお、図中、複数の録音開始指示発出手段１２等を系統毎に識別するため、符号の末尾に「−系統番号」を付した。
【００５３】
このような録音装置では、複数系統の録音開始指示発出手段１２・録音停止指示発出手段１３・音声信号収録制御器１６・音声信号収録器１７を備えているので、複数の操作者が各自の立場で、自身が管理する音声信号収録器１７に必要な部分のみの音声データを収録することができる。他の作用効果は第１の実施の形態と同様である。
【００５４】
本実施の形態の具体的な適用例としては、以下に述べるようなものが挙げられる。すなわち、会議の場において各系統を各会議参加者の座席に割り当てる。また、音声信号収録器１７としてリムーバブル外部記憶装置を用いる。そして、各会議参加者は、持参したリムーバブルメディアを外部記憶装置に挿入して、各自必要に応じて議事の所用箇所のみを録音して持ち帰るといった使い方が考えられる。
【００５５】
（第６の実施の形態）
本発明の第６の実施の形態に係る録音装置について図５を参照して説明する。図５は第６の実施形態に係る録音装置の構成図である。本実施の形態に係る録音装置が第１の実施の形態と異なる点は、多チャンネルの音声信号を同時並列的に記録可能となっているところ及び複数の操作者に対応しているところにある。すなわち、前記第３又は第４の実施の形態と前記第５の実施の形態とを組み合わせたものとなる。
【００５６】
この録音装置は、図５に示すように、各チャンネル（図２ではチャンネルＣＨ１〜ＣＨｍ）毎に、ディジタル音声信号入力手段１０・バッファメモリ１１・遡及時間指定手段１４・読み出し位置算出器１５を備えている。なお、図中、複数のバッファメモリ１１等をチャンネル毎に識別するため、符号の末尾に「−チャンネル番号」を付した。
【００５７】
また、録音装置は、複数の操作者に対応して複数系統（図２では系統１〜ｎ）毎に、録音開始指示発出手段１２・録音停止指示発出手段１３・録音対象チャンネル選択手段１８・音声信号収録器１７を備えている。なお、図中、複数の録音開始指示発出手段１２等を系統毎に識別するため、符号の末尾に「−系統番号」を付した。
【００５８】
さらに、録音装置は、チャンネルと系統との組み合わせ毎に音声信号収録制御器１６を備えている。したがって、音声信号収録制御器１６の個数は、チャンネル数と系統数の積となる（図２の例ではｎ×ｍ個）。なお、図中、複数の音声信号収録制御器１６をチャンネル及び系統の組み合わせ毎に識別するため、符号の末尾に「−（チャンネル番号，系統番号）」を付した。
【００５９】
各音声信号収録制御器１６は、自系統の録音開始指示発出手段１２の録音開始指示及び録音停止指示発出手段１３の録音停止指示に応じて、録音対象チャンネル選択手段１８で選択されたチャンネルの音声信号を、自系統の音声信号収録器１７に収録する。ここで、録音対象チャンネルの選択動作については、前述した第３又は第４の実施形態と同様である。
【００６０】
このような録音装置では、音声信号収録制御器１６が、チャンネルと系統の組み合わせ毎に用意されているため、各操作者は、他の操作者に影響を与えることなく、独自に録音対象チャンネルを選択することができる。また、録音開始指示発出に関しても、他の操作者に影響を与えることがない。他の作用効果は第１の実施の形態と同様である。
【００６１】
なお、本実施形態では、遡及時間Ｄをチャンネル毎に設定可能となっているが、ひとつの遡及時間指定手段１４で全てのチャンネルの遡及時間を同一値で同時に指定する方法も考えられる。
【００６２】
本実施形態の具知的な適用例としては、前記第５の実施形態と同様のものが挙げられる。すなわち、会議の場において各系統を各会議参加者の座席に割り当てる。また、音声信号収録器１７としてリムーバブル外部記憶装置を用いる。そして、各会議参加者は、持参したリムーバブルメディアを外部記憶装置に挿入して、各自必要に応じて議事の所用箇所のみを録音して持ち帰るといった使い方が考えられる。ここで、第５の実施の形態との相違点としては、複数チャンネルに対応して録音チャンネル選択手段１８が用意されている点が異なり、より柔軟な録音環境が設定できる。
【００６３】
以上、本発明の第１〜第６の実施の形態について詳述したが本発明はこれに限定されるものではない。また、上記第２〜第５の実施の形態では、録音停止指示発出手段１３における録音停止指示の発出方法については言及していないが、第１の実施の形態と同様に、操作者の入力操作により発出するもの、所定の条件に基づき自動的に指示を発出するもの、操作者の入力操作及び所定の条件に基づき半自動的に指示を発出するもののいずれであってもよい。
【図面の簡単な説明】
【００６４】
【図１】第１の実施形態に係る録音装置の構成図
【図２】第２の実施形態に係る録音装置の構成図
【図３】第３の実施形態に係る録音装置の構成図
【図４】第５の実施形態に係る録音装置の構成図
【図５】第６の実施形態に係る録音装置の構成図
【符号の説明】
【００６５】
１０…ディジタル音声信号入力手段、１１…バッファメモリ、１２…録音開始指示発出手段、１３…録音停止指示発出手段、１４…遡及時間指定手段、１５…読み出し位置算出器、１６…音声信号収録制御器、１７…音声信号収録器、１８…録音対象チャンネル選択手段。
【図１】
2005114898.tif 000003
【図２】
2005114898.tif 000004
【図３】
2005114898.tif 000005
【図４】
2005114898.tif 000006
【図５】
2005114898.tif 000007